(57)【要約】【課題】簡単な構成で、複数の視力検査装置における視力検査データを一元的に管理することが出来る視機能検査設備の提供。【解決手段】複数の視力検査装置２とそれら視力検査装置に接続された中央管理装置２０を有する。各視力検査装置は、視力を演算するために必要な測定データＭＤ、ＩＤ、ＰＲＩ、ＩＳＩを取得して中央管理装置に出力する測定データ取得出力手段１６を有する。中央管理装置は、視力を演算する際の、視力決定手順ＰＴ１、ＰＴ２、ＰＴ３を選択可能に格納する視力決定手順格納部２７、視力決定手順の選択手段２１、２８、視力決定手順の選択指令に応じて、選択された視力決定手順に基づいて測定データから被検者の視力を演算する視力演算部２５及び視力演算部で演算された被検者の視力を出力する出力手段３０、３６を有する。【選択図】  図１
2004166979.tif 000002
【特許請求の範囲】
【請求項１】
複数の視力検査装置とそれら視力検査装置に接続された中央管理装置を有する視機能検査設備であり、
前記各視力検査装置は、視力演算をするために必要な測定データを取得して前記中央管理装置に出力する測定データ取得出力手段を有し、
前記中央管理装置は、
前記各視力検査装置から出力される測定データを格納する検査データメモリ、
前記視力を演算する際の、視力演算手順を選択可能に格納する視力決定手順格納部、
オペレータが操作可能な前記視力決定手順の選択手段、
視力決定手順の選択手段を介した視力決定手順の選択指令に応じて、該選択された視力決定手順に基づいて前記測定データから被検者の視力を演算する視力演算部及び、
前記視力演算部で演算された被検者の視力を出力する出力手段を有する、
視機能検査設備。
【請求項２】
前記測定データは、
各視力検査装置に付された装置ＩＤ情報を含むことを特徴とする、請求項１記載の視機能検査設備。
【請求項３】
前記測定データは、視力検査に際した被検者の挙動に起因するデータである被検者反応情報を含むことを特徴とする、請求項１記載の視機能検査設備。
【請求項４】
前記測定データは、被検者による視力検査の測定開始時間と、被検者が視力の測定動作中において、前記各視力検査装置に設けられた操作部材を操作した時間を示すタイムスタンプを含むことを特徴とする、請求項１記載の視機能検査設備。
【請求項５】
前記被検者反応情報は、各視力検査装置における、視標位置情報、及び被検者の視標認識データをふくむことを特徴とする、請求項３記載の視機能検査設備。
【請求項６】
前記測定データには、前記各視力検査装置が実行している、検査の種類を示す検査種別データを含むことを特徴とする、請求項１記載の視機能検査設備。
【請求項７】
前記視力検査装置は、複数種類の視力検査を行うことが出来、
該視力検査装置には、該視力検査装置で実行することのできる複数種類の視力検査のうち、どの種類の検査を行うかを選択設定することが出来る検査種別選択手段が設けられ、
前記測定データ取得出力手段は、該検査種別選択手段により選択された検査種別に応じた検査種別データを生成し前記測定データとして、前記中央管理装置に出力することができることを特徴とする、
請求項１記載の視機能検査設備。
【請求項８】
前記中央管理装置は、
該中央管理装置に接続された視力検査装置の操作画面をデイスプレイ上に表示する操作画面表示手段及び、
前記操作画面表示手段に表示された操作画面を介した操作により、前記視力検査装置を遠隔操作することの出来る遠隔操作制御部を有する、
請求項１記載の視機能検査設備。
【請求項９】
前記中央管理装置は、
該中央管理装置に接続された視力検査装置の操作画面を、視力検査の種類毎に格納する操作画面格納手段及び、
オペレータが操作可能な前記操作画面の選択手段を有し、
前記操作画面表示手段は、前記操作画面の選択手段により選択された操作画面を前記操作画面格納手段から選択的に読み出して前記デイスプレイ上に表示することが出来ることを特徴とする、
請求項８記載の視機能検査設備。
【請求項１０】
前記中央管理装置は、
該中央管理装置に接続された視力検査装置の操作画面を、視力検査の種類毎に格納する操作画面格納手段を有し、
前記各視力検査装置から出力される前記測定データに基づいて、当該視力検査装置で行う視力検査の種類を判定する検査種類判定手段を設け、
前記操作画面表示手段は、前記検査種類判定手段により判定された視力検査の種類に対応した操作画面を、前記操作画面格納手段から選択的に読み出して前記デイスプレイ上に表示することを特徴とする、
請求項８記載の視機能検査設備。
【請求項１１】
中央管理装置は、
該中央管理装置に接続された前記視力検査装置に対して装置識別情報の送付を要求する識別情報送付要求手段を有し、
前記識別情報送付要求手段からの装置識別情報の送付要求に対して各視力検査装置から出力された前記装置識別情報に基づいて各視力検査装置の稼働状態を示す稼働状態テーブルを作成し、メモリに格納する、稼働状態管理手段を設けて構成した、
請求項１記載の視機能検査設備。
【請求項１２】
前記識別情報送付要求手段は、前記中央管理装置の電源が投入されるたびに、前記中央管理装置に接続された前記視力検査装置に対して装置識別情報の送付を要求し、
前記稼働状態管理手段は、前記識別情報送付要求手段からの装置識別情報の送付要求に対して各視力検査装置から出力された前記装置識別情報に基づいて前記稼働状態テーブルを更新することを特徴とする、
請求項１１記載の視機能検査設備。
【請求項１３】
中央管理装置は、
各視力検査装置で行う検査内容についてのデモンストレーション映像をデモンストレーション映像データＤＤとして格納するデモンストレーション映像データ格納手段を有しており、
前記各視力検査装置からの前記測定データに基づいて、前記モンストレーション映像データ格納手段から、対応するデモンストレーション映像データを読み出して出力するデモンストレーション映像データ読み出し出力手段を設けて構成した、
請求項１記載の視機能検査設備。
【請求項１４】
前記測定データには、前記各視力検査装置を識別するための装置ＩＤ情報を含むことを特徴とする、請求項１０記載の視機能検査設備。
【請求項１５】
複数の視力検査装置とそれら視力検査装置に接続された中央管理装置を有する視機能検査設備であり、
前記各視力検査装置は、視力演算をするために必要な測定データを取得して前記中央管理装置に出力する測定データ取得出力手段を有し、
前記中央管理装置は、
前記各視力検査装置から出力される前記測定データを格納する検査データメモリを有し、
前記測定データに基づいて、前記各視力検査装置で行う視力検査の種類を判定する検査種類判定手段を設け、
前記検査種類判定手段による判定結果に基づいて、前記各視力検査装置について、対応する演算処理を行う、対視力検査装置演算処理手段を設けて構成した、視機能検査設備。
【請求項１６】
前記測定データには、前記各視力検査装置を識別するための装置ＩＤ情報を含むことを特徴とする、請求項１５記載の視機能検査設備。
【請求項１７】
前記対視力検査装置演算処理手段は、前記測定データに基づいて、各視力検査装置で行った被検者の、前記検査種類判定手段で判定された視力検査の種類に応じた視力を演算する視力演算部を有することを特徴とする、請求項１５記載の視機能検査設備。
【請求項１８】
前記中央管理装置は、
該中央管理装置に接続された視力検査装置の操作画面を、視力検査の種類毎に格納する操作画面格納手段を有し、
前記対視力検査装置演算処理手段は、
前記検査種類判定手段により判定された視力検査の種類に対応した操作画面を、前記操作画面格納手段から選択的に読み出してデイスプレイ上に表示する操作画面表示手段及び
前記操作画面を介した操作に基づいて、前記視力検査の種類が判定された視力検査装置を遠隔操作する遠隔操作部を有する、
請求項１５記載の視機能検査設備。
【発明の詳細な説明】
【０００１】
【発明の属する技術分野】
本発明は、複数の視力検査装置を有する視機能検査設備に関する。
【０００２】
【従来の技術】
従来、複数の視力検査装置を単一の出力装置に接続して、各視力検査装置の検査結果を、集中的に出力する装置が知られている（特許文献１参照）。
【０００３】
【特許文献１】
特開平７−２４６１９０号公報
【０００４】
【発明が解決しようとする課題】
しかし、こうした技術は、単に各視力検査装置の検査結果を一台の出力装置に出力するためのものでしかなく、各視力検査装置には、測定結果から被検者の視力を演算判定する演算装置が必要だった。なお、本明細書で「視力」と称した場合には、通常の静止視力に加えて、動体視力、夜間視力など、「人間の視る能力を表示する各種のパラメータ」を意味するものであり、上記した視力に加えて、各種の必要に応じて考案される、例えばコントラスト視力など、各種のパラメータも含むものである。
【０００５】
これでは、複数の視力検査装置を接続して視機能検査設備を構築せんとした場合、演算装置が視力検査装置の台数分必要となり、システムの規模が複雑大型化する。
【０００６】
また、測定データから視力を演算する方法は、通常数種類知られているが、従来の各視力検査装置が演算装置を持っている設備では、各視力検査装置側で予め決められた演算方法で被検者の視力を算出してしまう。これでは、測定後に、別の演算方法による視力を知りたいと思っても、測定データが失われてしまっていて出来ず、再度、要求される演算方法がセットされた視力検査装置を用いて検査する必要が生じ、効率的な検査が出来ない場合も生じる。
【０００７】
本発明は、上記した事情に鑑み、複数の視力検査装置における被検者の測定データを一元的に管理することが出来、また、簡単な構成で複数の視力検査装置からなるネットワークを構築することの出来る、視機能検査設備を提供することを目的とするものである。
【０００８】
【課題を解決するための手段】
請求項１の発明によれば、複数の視力検査装置（２）とそれら視力検査装置に接続された中央管理装置（２０）を有する視機能検査設備（１）であり、
前記各視力検査装置は、視力を演算するために必要な測定データ（ＭＤ、ＩＤ、ＰＲＩ、ＩＳＩ）を取得して前記中央管理装置に出力する測定データ取得出力手段（１６）を有し、
前記中央管理装置は、
前記各視力検査装置から出力される測定データを格納する検査データメモリ（２９）、
前記視力を演算する際の、視力決定手順（ＰＴ１、ＰＴ２、ＰＴ３）を選択可能に格納する視力決定手順格納部（２７）、
オペレータが操作可能な、前記視力決定手順の選択手段（２１、２８）、
視力決定手順の選択手段を介した視力決定手順の選択指令に応じて、該選択された視力決定手順に基づいて前記測定データから被検者の視力を演算する視力演算部（２５）及び、
前記視力演算部で演算された被検者の視力を出力する出力手段（３０、３６）を有する形で構成される。
【０００９】
また、請求項２の発明は、前記測定データは、
各視力検査装置に付された装置ＩＤ情報（ＭＤ）を含むことを特徴として構成される。
【００１０】
また、請求項３の発明は、前記測定データは、視力検査に際した被検者の挙動に起因するデータである被検者反応情報（ＰＲＩ）を含むことを特徴として構成される。
【００１１】
また、請求項４の発明は、前記測定データは、被検者による視力検査の測定開始時間と、被検者が視力の測定動作中において、前記各視力検査装置に設けられた操作部材を操作した時間を示すタイムスタンプ（ＴＳ１、ＴＳ２）を含むことを特徴として構成される。
【００１２】
また、請求項５の発明は、請求項３記載の視機能検査設備において、前記被検者反応情報は、各視力検査装置における、視標位置情報（ＤＡ２）、及び被検者の視標認識データ（ＴＳ２、ＤＡ１）を含むことを特徴として構成される。
【００１３】
また、請求項６の発明は、前記測定データには、前記各視力検査装置が実行している、検査の種類を示す検査種別データ（ＤＡ３）を含むことを特徴として構成される。
【００１４】
また、請求項７の発明は、前記視力検査装置は、複数種類の視力検査を行うことが出来、
該視力検査装置には、該視力検査装置で実行することのできる複数種類の視力検査のうち、どの種類の検査を行うかを選択設定することが出来る検査種別選択手段が設けられ、
前記測定データ取得出力手段は、該検査種別選択手段により選択された検査種別に応じた検査種別データ（ＤＡ３）を生成し前記測定データとして、前記中央管理装置に出力することができることを特徴として構成される。
【００１５】
また請求項８の発明は、前記中央管理装置（２０）は、
該中央管理装置に接続された視力検査装置の操作画面（ＯＰ）をデイスプレイ（３６）上に表示する操作画面表示手段（２１）及び、
前記操作画面表示手段に表示された操作画面を介した操作により、前記視力検査装置を遠隔操作することの出来る遠隔操作制御部（３７）を有して構成される。
【００１６】
また、請求項９の発明は、請求項８の視機能検査設備において、前記中央管理装置は、
該中央管理装置に接続された視力検査装置の操作画面を、前記視力検査の種類毎に格納する操作画面格納手段及び、
オペレータが操作可能な前記操作画面の選択手段（２８）を有し、
前記操作画面表示手段は、前記操作画面の選択手段により選択された操作画面を前記操作画面格納手段から選択的に読み出して前記デイスプレイ上に表示することが出来ることを特徴として構成される。
【００１７】
また、請求項１０の発明は、請求項８の視機能検査設備において、前記中央管理装置は、
該中央管理装置に接続された視力検査装置の操作画面を、視力検査の種類毎に格納する操作画面格納手段を有し、
前記各視力検査装置から出力される前記測定データ（ＩＳＩ、ＤＡ３）に基づいて、当該視力検査装置で行う視力検査の種類を判定する検査種類判定手段（２１）を設け、
前記操作画面表示手段は、前記検査種類判定手段により判定された視力検査の種類に対応した操作画面（ＯＰ）を、前記操作画面格納手段から選択的に読み出して前記デイスプレイ（３６）上に表示することを特徴として構成される。
【００１８】
請求項１１の発明は、中央管理装置は、
該中央管理装置に接続された前記視力検査装置に対して装置識別情報（ＭＤ）の送付を要求する識別情報送付要求手段（３８）を有し、
前記識別情報送付要求手段からの装置識別情報の送付要求に対して各視力検査装置から出力された前記装置識別情報（ＭＤ）に基づいて各視力検査装置の稼働状態を示す稼働状態テーブルを作成し、メモリに格納する、稼働状態管理手段（３８）を設けて構成される。
【００１９】
請求項１２の発明は、請求項１１記載の視機能検査設備において、前記識別情報送付要求手段は、前記中央管理装置の電源が投入されるたびに、前記中央管理装置に接続された前記視力検査装置に対して装置識別情報の送付を要求し、
前記稼働状態管理手段は、前記識別情報送付要求手段からの装置識別情報の送付要求に対して各視力検査装置から出力された前記装置識別情報に基づいて前記稼働状態テーブルを更新することを特徴として構成される。
【００２０】
請求項１３の発明は、中央管理装置は、
各視力検査装置で行う検査内容についてのデモンストレーション映像をデモンストレーション映像データ（ＤＤ）として格納するデモンストレーション映像データ格納手段を有しており、
前記各視力検査装置からの前記測定データ（ＩＳＩ、ＤＡ３）に基づいて、前記デモンストレーション映像データ格納手段から、対応するデモンストレーション映像データを読み出して出力するデモンストレーション映像データ読み出し出力手段を設けて構成される。
【００２１】
請求項１４の発明は、請求項１０記載の視機能検査設備において、前記測定データには、前記各視力検査装置を識別するための装置ＩＤ情報（ＭＤ）を含むことを特徴とする。
【００２２】
請求項１５の発明は、複数の視力検査装置とそれら視力検査装置に接続された中央管理装置を有する視機能検査設備であり、
前記各視力検査装置は、視力演算をするために必要な測定データ（ＭＤ、ＩＤ、ＰＲＩ、ＩＳＩ）を取得して前記中央管理装置に出力する測定データ取得出力手段（１６）を有し、
前記中央管理装置は、
前記各視力検査装置から出力される前記測定データを格納する検査データメモリ（２９）を有し、
前記測定データに基づいて、前記各視力検査装置で行う視力検査の種類を判定する検査種類判定手段（２１）を設け、
前記検査種類判定手段による判定結果に基づいて、前記各視力検査装置について、対応する演算処理を行う、対視力検査装置演算処理手段を設けて構成される。
【００２３】
請求項１６の発明は、請求項１５記載の視機能検査設備において、前記測定データには、前記各視力検査装置を識別するための装置ＩＤ情報（ＭＤ）を含むことを特徴として構成される。
【００２４】
請求項１７の発明は、請求項１５記載の視機能検査設備において、前記対視力検査装置演算処理手段は、前記測定データに基づいて、各視力検査装置で行った被検者の、前記検査種類判定手段（２１）で判定された視力検査の種類に応じた視力を演算する視力演算部（２５）を有することを特徴として構成される。
【００２５】
請求項１８の発明は、請求項１５記載の視機能検査設備において、前記中央管理装置は、
該中央管理装置に接続された視力検査装置の操作画面（ＯＰ）を、視力検査の種類毎に格納する操作画面格納手段を有し、
前記対視力検査装置演算処理手段は、
前記検査種類判定手段により判定された視力検査の種類に対応した操作画面を、前記操作画面格納手段から選択的に読み出してデイスプレイ上に表示する操作画面表示手段（２１）及び
前記操作画面を介した操作に基づいて、前記視力検査の種類が判定された視力検査装置を遠隔操作する遠隔操作部（３７）を有して構成される。
【００２６】
【発明の効果】
請求項１の発明によると、中央管理装置（２０）で、複数の視力検査装置（２）で行った視力検査の測定データ（ＭＤ、ＩＤ、ＰＲＩ、ＩＳＩ）を一元的に管理することが出来る。また、中央管理装置（２０）の視力演算部（２５）で、各視力検査装置（２）で得られた測定データから、視力を演算することが出来るので、各視力検査装置に視力の演算部を設ける必要が無く、簡単な構成で複数の視力検査装置からなるネットワークを構築することの出来る。
【００２７】
更に、オペレータが操作可能な、前記視力決定手順の選択手段（２１、２８）により、検査データメモリ（２９）に格納された測定データから、任意の時点で、任意の視力決定手順を用いて、視力を演算することが出来る。これは、視標の大きさが連続的に変化する動体視力の測定などに際して特に有効であり、従来のように、異なる視力決定手順を用いるたびに、再度視力検査を行う必要が無くなり、効率的な検査が可能となるばかりか、被検者３３の負担を軽減することが出来る。
【００２８】
請求項２の発明によると、測定データに各視力検査装置に付された装置ＩＤ情報（ＭＤ）を含むことから、測定データの中央管理装置での管理が容易となる。
【００２９】
請求項３の発明によると、測定データは、視力検査に際した被検者の挙動に起因するデータである被検者反応情報（ＰＲＩ）を含むことから、視力検査に際した視力を演算する前の、生の測定データを得ることが出来、中央管理装置側で、各種の視力決定手順を用いた視力の演算が可能となる。
【００３０】
請求項４の発明によると、測定データは、被検者による視力検査の測定開始時間と、被検者が視力の測定動作中において、前記各視力検査装置に設けられた操作部材を操作した時間を示すタイムスタンプ（ＴＳ１、ＴＳ２）を含むことから、夜間視力の演算などを中央管理装置側で容易に行うことが出来る。
【００３１】
請求項５の発明によると、被検者反応情報は、各視力検査装置における、視標位置情報（ＤＡ２）、及び被検者の視標認識データ（ＴＳ２、ＤＡ１）を含むことから、視力決定手順による静止視力や動体視力の演算を、中央管理装置側で容易に行うことが出来る。
【００３２】
請求項６の発明によると、測定データには、前記各視力検査装置が実行している、検査の種類を示す検査種別データ（ＤＡ３）を含むことから、夜間視力、動体視力、静止視力など多様な視力検査にも対応することが出来、汎用性の高い視機能検査設備の提供が可能となる。
【００３３】
請求項７の発明によると、各視力検査装置側で、複数種類の視力検査を選択して、対応する視力検査を実行することが出来、各視力検査装置として、高機能の装置を使用することが可能となり、実用性が高い。
【００３４】
請求項８の発明によると、中央管理装置（２０）側から、各視力検査装置に対する集中的な遠隔操作が可能となり、各視力検査装置側での検査動作の自動化が容易となる。
【００３５】
請求項９の発明によると、中央管理装置側で各視力検査装置の機種に応じた操作画面を、オペレータの操作に応じて表示することが出来るので、視機能検査設備に多種類の視力検査装置が混在するシステムの構築にも容易に対応することが出来る。
【００３６】
請求項１０の発明によると、各視力検査装置の機種に応じた操作画面を、各視力検査装置（２）からの測定データに基づいて検査種類判定手段及び操作画面表示手段が自動的に表示するので、視機能検査設備に多種類の視力検査装置が混在するシステムの構築にも容易に対応することが出来る。
【００３７】
請求項１１の発明によると、稼働状態テーブルにより、中央管理装置（２０）側で各視力検査装置の稼働状態を容易に把握することが出来る。
【００３８】
請求項１２の発明によると、稼働状態テーブルが中央管理装置（２０）の電源が投入される度に更新されるので、接続される視力検査装置の構成の変動や、電源のＯＮ／ＯＦＦが多い設備に対して対応が容易である。
【００３９】
請求項１３の発明によると、中央管理装置（２０）で、各視力検査装置の検査内容に応じて当該検査内容についてのデモンストレーション映像データが読み出されて出力されるので、当該デモンストレーション映像データを、各視力検査装置または中央管理装置で表示することにより、被検者（３３）に対してこれから行う検査内容についての適切な説明動作を行うことが出来る。
【００４０】
請求項１４の発明によると、視力検査の種類を装置ＩＤ情報（ＭＤ）から判定することが可能となり、視力検査装置（２）として、夜間視力計や動体視力計などの単機能視力検査装置を用いた場合に、視力検査の種類を装置ＩＤ情報から容易に判定することが出来る。
【００４１】
請求項１５の発明によると、中央管理装置（２０）で、複数の視力検査装置（２）で行った視力検査の測定データ（ＭＤ、ＩＤ、ＰＲＩ、ＩＳＩ）を一元的に管理することが出来る。また、中央管理装置（２０）の検査種類判定手段（２１）により各視力検査装置で行う視力検査の種類が判定され、当該種類に応じて各視力検査装置に対して、視力判定や遠隔操作などの演算処理を行うことが出来、各視力検査装置に視力の演算部や運転操作部を設ける必要が無く、簡単な構成で複数の視力検査装置からなるネットワークを構築することの出来る。
【００４２】
請求項１６の発明によると、視力検査の種類を装置ＩＤ情報（ＭＤ）から判定することが可能となり、視力検査装置（２）として、夜間視力計や動体視力計などの単機能視力検査装置を用いた場合に、視力検査の種類を装置ＩＤ情報から容易に判定することが出来る。
【００４３】
請求項１７の発明によると、視力演算部（２５）が、各視力検査装置（２）で得られた測定データから、視力を演算することが出来るので、各視力検査装置に視力の演算部を設ける必要が無く、視機能検査設備の構成を簡略化することが出来る。
【００４４】
請求項１８の発明によると、各視力検査装置の機種に応じた操作画面を、各視力検査装置（２）からの測定データに基づいて検査種類判定手段及び操作画面表示手段が自動的に表示するので、視機能検査設備に多種類の視力検査装置が混在するシステムの構築にも容易に対応することが出来る。また表示された操作画面（ＯＰ）に基づいて、遠隔操作部（３７）により、中央管理装置（２０）側から、各視力検査装置に対する集中的な遠隔操作が可能となり、各視力検査装置側での検査動作の自動化が容易となる。
【００４５】
なお、括弧内の番号等は、図面における対応する要素を示す便宜的なものであり、従って、本記述は図面上の記載に限定拘束されるものではない。
【００４６】
【発明の実施の形態】
図１は、本発明が適用される、視機能検査設備の一例を示すブロック図、図２は、中央管理装置の一例を示すブロック図、図３は、視力の演算方法を示す図、図４は、視機能検査設備内で使用されるデータの一例を示す模式図、図５は中央管理装置で表示される表示画面の一例を示す模式図、図６は中央管理装置で表示される表示画面の別の例を示す模式図、図７は、動体視力を測定する際の、デモンストレーション映像データの一例を示す模式図、図８は、視力の演算方法の別の例を示す図である。
【００４７】
視機能検査設備１は、図１に示すように、複数の視力検査装置２を有しており、それら視力検査装置２は、筐体３をそれぞれ有している。筐体３の前面には、操作部３ａが形成されており、操作部３ａには、ジョイスティックなどの操作レバー３ｂが、被検者などにより操作自在に設けられている。
【００４８】
筐体３の内部には、図１に示すように、公知の視力検査機構５が収納されており、視力検査機構５は、複数のレンズ６Ａ、６Ｂ、６Ｃ、複数のプリズム７Ａ、７Ｂなどを有している。レンズ６Ａ、６Ｂ、プリズム７Ａ、７Ｂ及びレンズ６Ｃは光学的に直列に配置されており、更に、プリズム７Ｂの図中右方には、複数の検査視標が配置された円盤状の視標板９がモータ１０により所定角度毎に回転駆動停止自在に設けられている。モータ１０を正逆方向に回転駆動させることにより、視標板９を回転させて、視標板９上に配置された任意の視標を選択して、視力検査用光路ＬＷ上に配置することが出来る。
【００４９】
レンズ６Ｃの図中右方には、視標照明光源１１が設けられており、更に、プリズム７Ａには、送りねじ１２がナット１３に螺合した形で設けられている。ナット１３には、プリズム送りモータ１５がギヤ１５ａを介して噛合しており、プリズム送りモータ１５を正逆方向に回転することにより、ギヤ１５ａ、ナット１３及送りねじ１２を介してプリズム７Ａを、矢印Ａ、Ｂ方向（光路ＬＷ方向）に移動駆動させて、レンズ６Ｂとプリズム７Ａ間の距離Ｌを変化させることが出来る。
【００５０】
モータ１０、１５及び操作レバー３ｂは、コントローラ１６に接続されており、コントローラ１６、従って、視力検査装置２は、通信回線１７及びハブ１９または他の視力検査装置２を介して中央管理装置２０に接続している。
【００５１】
中央管理装置２０は、図２に示すように、主制御部２１を有しており、主制御部２１にはバス線３１を介して、前述の視力検査装置２や後述する被検者データベース３２が接続される入出力制御部２２、検査データ収集部２３、視力演算部２５、検査結果生成部２６、視力決定パターン格納部２７、キーボード２８、検査データメモリ２９、プリンタなどの出力部３０、遠隔操作制御部３７、デイスプレイ３６及びネットワーク管理部３８などが接続している。
【００５２】
なお、中央管理装置２０には、図１に示すように、通信回線などを介して被検者データベース３２が接続している。
【００５３】
視機能検査設備１は以上のような構成を有するので、視力検査を受ける被検者３３は、まず、自らの氏名ＮＡＭ、年齢ＡＧＥ、性別ＳＥＸなどの個別データＩＤＤを被検者データベース３２に登録する。個別データＩＤＤは、図４（ｃ）に示すように、被検者３３ごとに割り付けられた識別番号などの識別情報ＩＤと共に、被検者データベース３２に登録格納される。
【００５４】
次に、被検者３３は、複数の視力検査装置２の中の適当な視力検査装置２により、視力検査を受けるが、各視力検査装置２では、夜間視力、動体視力及び通常視力など各種の視力検査を行うことが出来る。そこで、各視力検査装置２側では、検査者（オペレータ）が当該視力検査装置に設けられた、図示しない操作盤などの操作手段を操作して、当該視力検査装置２でこれから行う視力検査の種類を選択して設定する。なお、各視力検査装置２で行う視力検査の種類の選択は、中央管理装置２０側で各視力検査装置２について設定することにより行うようにすることも当然可能である。
【００５５】
こうして、被検者３３が、複数の視力検査装置２の中のひとつで、当該視力検査装置２による視力検査を開始する場合には、まず、被検者３３の識別情報ＩＤを視力検査装置２に入力する。当該識別情報ＩＤは、中央管理装置２０に出力され、中央管理装置２０は被検者データベース３２から、被検者３３が既に登録済みの被検者３３で有るか否かを判定し、被検者３３が被検者データベース３２に登録されていない場合には、エラー信号を、識別情報ＩＤを出力した視力検査装置２に出力して、当該被検者３３の個別データＩＤＤを被検者データベース３２へ登録するように促す。
【００５６】
なお、被検者３３の識別情報ＩＤの入力方法としては各種の方法が考えられる。即ち、検査者が、テンキーなどの入力手段を介して入力する方法や、図１に示すように、各視力検査装置２にカードリーダーやテンキーなどのＩＤ入力端末２ｂを接続し、当該ＩＤ入力端末２ｂから被検者３３毎に交付された磁気カードやＩＣカードなどからなる識別カードを介して又は、直接ＩＤ入力端末２ｂを操作して識別情報ＩＤを入力する方法、更には、中央管理装置２０側で、各視力検査装置２に設けられた図示しないモニタ装置などを介してオペレータが各被検者３３を認識して識別情報ＩＤをキーボード２８などから入力するなど、多様な入力方法を採用することが出来る。
【００５７】
被検者３３の個別データＩＤＤが、被検者データベース３２に登録されていた場合には、中央管理装置２０は、検査データメモリ２９に、当該被検者３３の識別情報ＩＤを格納し、当該識別情報ＩＤをもとに、被検者３３の検査データを格納する格納エリアを確保すると共に、対応する視力検査装置２に対して視力検査の開始を許可する。
【００５８】
視力検査装置２側では、図１に示すように、被検者３３が操作レバー３ｂを操作しながら、夜間視力、動体視力及び静止視力など各種の視力検査を開始する。これらの視力の計測方法は、視力検査装置２によって各種の方法が採用可能であり、視機能検査設備１としては、各視力検査装置２における視力の検査方法としてどのような方法を用いていたとしても、当該視力検査に際した被検者３３の被検者反応情報ＰＲＩが中央管理装置２０に伝達される限り、本発明の適用が可能である。
【００５９】
この検査に際しては、夜間視力の場合には、例えばモータ１０で視標板９を回転移動させて適宜な視標を視力検査用光路ＬＷ上に配置し、筐体３内を十分明るくした状態で被検者３３の被検眼を十分明順応させた後、筐体３内を暗くする。被検者３３の被検眼が徐々に暗順応して視標板９の視標を認識した場合、即ち、当該視標の形状を確認し、その際の視標の向いている方向などを操作レバー３ｂを介して正しく入力した場合、当該視標を認識するまでの時間を計測して（例えば、後述する検査開始を示すタイムスタンプＴＳ１と被検者３３が操作レバー３ｂを操作した際のタイムスタンプＴＳ２との差を演算して）、その計測時間から夜間視力を演算する。
【００６０】
また、動体視力の場合には、例えば、モータ１０で視標板９を回転移動させて適宜な視標を視力検査用光路ＬＷ上に配置し、視標照明光源１１でレンズ６Ｃを介して当該視標を照明し、その状態で、送りモータ１５を回転駆動してプリズム７Ａを光軸方向である矢印Ａ、Ｂ方向に移動させて、レンズ６Ｂとプリズム７Ａ間の距離Ｌを変化させ、被検者３３が見る視標を、所定の速度で徐々に大きくなるように制御する。被検者３３が視標を認識して操作レバー３ｂを操作した場合、即ち、当該視標の形状を確認し、その際の視標の向いている方向などを正しく入力した場合、当該視標を認識した時点の距離Ｌから、動体視力を演算する。
【００６１】
また、静止視力の場合には、視標照明光源１１でレンズ６Ｃを介して視標板９を照明し、その状態で、モータ１０により大きさの相違する視標を選択的に視力検査光路ＬＷ上に配置し、被検者３３が視標を認識して操作レバー３ｂを操作した場合、即ち、当該視標の形状を確認し、その際の視標の向いている方向などを正しく入力した場合、当該認識出来た視標の大きのうちの最少の大きさの視標の大きさから、静止視力を演算する。
【００６２】
なお、こうした視力の測定方法や被検者３３による視標の認識結果の入力方法は、各種の公知技術を用いることが出来る。また、視力検査装置２の構成も、図１に示した構成に限らず、どのような構成の視力検査装置２でも用いることが出来る。
【００６３】
図１に示す、各視力検査装置２は、被検者３３による視力検査に際して、当該検査を開始した時点で、検査開始時間を示すタイムスタンプＴＳ１及び、前述した検査者による選択設定に基づいて生成された、検査の種類を示す検査種別データＤＡ３などの検査開始情報ＩＳＩを装置ＩＤ情報ＭＤと共に、中央管理装置２０に出力する。中央管理装置２０の検査データ収集部２３は、既に検査データメモリ２９に格納された当該被検者３３の検査データの格納エリアに、例えば、図４（ｂ）に示すように、被検者３３の識別情報ＩＤと共にそれら情報ＩＳＩ、ＭＤを格納する。
【００６４】
その後、被検者３３が視標を認識して、操作レバー３ｂを操作した場合には、視力検査装置２から、図４（ａ）に示すように、個別検査データＩＩＤが、中央管理装置２０に出力される。個別検査データＩＩＤは、各視力検査装置２を識別するための装置ＩＤ情報ＭＤ、被検者３３が視標などの視力測定用素材を認識して操作レバー３ｂなどの操作部材を操作した時間、即ち反応時の時間を示すタイムスタンプＴＳ２、また、その際に、被検者３３が視標の方向などを示すためにジョイスティクを特定の方向に倒した場合などにおけるジョイスティクなどの操作部材の方向、即ち、被検者３３の視標の認識内容を具体的に示す視標認識データＤＡ１が含まれている。更に、個別検査データＩＩＤには、被検者３３が視標を認識した際の、レンズ６Ｂとプリズム７Ａ間の距離Ｌを示す、モータ１５の位置情報や、視標板９の位置を示すモータ１０の位置情報などの、視標の光軸ＬＷ方向の見かけ上の位置や、視標板９に配置された複数の視標からモータ１０により光軸ＬＷ上に割り出し配置された視標がどの視標であるかを示す情報としての視標位置情報ＤＡ２が含まれ、更には、現在視力検査装置２で行っている視力検査の種類を示す検査種別データＤＡ３やデータのフォーマット情報なども含まれている。なお、測定に際した、被検者３３の挙動に関連するデータ、即ちタイムスタンプＴＳ２、視標認識データＤＡ１、視標位置情報ＤＡ２などを、被検者反応情報ＰＲＩと称する。
【００６５】
こうして、各被検者３３について、各視力検査装置２で取得された個別検査データＩＩＤが、中央管理装置２０に出力される。中央管理装置２０では、入出力制御部２２を介して入力されてくる、複数の視力検査装置２からの測定結果を示す個別検査データＩＩＤを、検査データ収集部２３で収集し、検査データメモリ２９の、被検者３３毎に識別情報ＩＤに基づいて設定された格納エリアに、各視力検査装置２の装置ＩＤ情報ＭＤ毎に格納する。これにより、被検者３３が、複数の視力検査装置２を用いて、視力検査を行っても、その検査データは、被検者３３の識別情報ＩＤに基づいて、各視力検査装置２毎に被検者反応情報ＰＲＩとして格納されるので、被検者３３が受けた視力検査の内容を、整然と格納しておくことが出来る。以上のことは、被検者３３が複数の場合も全く同様であり、各被検者３３の検査データは、検査データメモリ２９に、被検者３３の識別情報ＩＤに基づいて、各視力検査装置２毎に被検者反応情報ＰＲＩの形で格納される。
【００６６】
なお、各視力検査装置２から中央管理装置２０に出力される被検者反応情報ＰＲＩの内容は、中央管理装置２０において演算すべき視力に応じて任意に設定することが出来、上述したものに限られるものではない。
【００６７】
こうして被検者３３の各視力検査装置２による視力検査が終了し、各視力検査装置２について、対応する被検者反応情報ＰＲＩが中央管理装置２０の検査データメモリ２９に格納されたところで、検査者（オペレータ）が、それら得られた検査データに基づいて、被検者３３の検査結果表、診断結果、評価などの情報を出力する場合には、検査者はキーボード２８などの入力手段を介して、主制御部２１に対して検査結果の出力を指令する。
【００６８】
この際、検査者は、視力（特に動体視力）を演算する際に使用する視力決定パターンを、選択してキーボード２８から入力する。即ち、中央管理装置２０には、視力を決定する際に、各検査内容に応じて設定されている視力決定パターンが、視力決定パターン格納部２７に格納されており、それら視力決定パターンには、視力を演算する際に選択できるものがある。
【００６９】
例えば、動体視力については、図３（ａ）〜（ｃ）に示すように、レンズ６Ｂとプリズム７Ａ間の距離Ｌと視力Ｋとの間の関係が、（ａ）等差的に設定されている視力決定パターンＰＴ１、（ｂ）等比的に設定されている視力決定パターンＰＴ２及び、（ｃ）無段階線形に設定されている視力決定パターンＰＴ３が準備されており、検査者は、視力演算部２５での被検者３３の視力演算に際して、使用する視力決定パターンを選択してキーボード２８から入力する。
【００７０】
主制御部２１は、視力演算部２５に対して被検者３３の視力を演算するように指令し、視力演算部２５は、オペレータからキーボード２８を介して入力された使用すべき視力決定パターンに基づいて、被検者３３の視力を演算する。検査データメモリ２９に格納されている被検者３３の検査データは視力演算を行うために必要な測定データ、即ち、各検査装置２の装置ＩＤ情報ＭＤ、被検者３３の識別情報ＩＤ、被検者反応情報ＰＲＩ、検査開始情報ＩＳＩなどが、被検者３３毎に分類された形で格納されている。また、視力を決定する演算は、中央管理装置２０側でのみ行うことから、視力を演算するための視力決定パターンが複数あったとしても、視力決定パターン毎に視力を適正に演算することが出来る。
【００７１】
一方、夜間視力測定の場合は、反応時間で視力の決定（視力評価値の算出）をするが、そのパターンを異ならせて、視力の演算を行うこともできる。例えば、図８（ａ）に示す方法によると、評価パターン１では、６０秒以内に反応できなければ最低ランクＥとし、６０秒以内に反応できた場合は、その時間によってＡ〜Ｄの評価値が与えられ、評価パターン２では、９０秒以内に反応できなければ最低ランクＥとし、９０秒以内に反応できた場合は、その時間によってＡ〜Ｄの評価値が与えられる、というように視力を演算することができる。
【００７２】
また、被験者情報と先に演算された視力を再演算して、視力評価値あるいは視力評価結果を算出し、表示することも可能である。例えば、図８（ｂ）に示されるように、被験者年齢と動体視力の組み合わせで、動体視力の評価値１から５を演算決定する方法もある。あるいは、異種の検査により演算されて決定された複数の視力データを再演算して図８（ｃ）に示すように視力の評価をＡからＦとして定めるように構成することもできる。いずれにしても、中央管理装置２０側で、こうした各種の視力の演算を行うことができる。
【００７３】
なお、視力決定パターンを選択する必要のない視力については、前述のオペレータによる視力の決定パターンの選択を行うことなく、測定データから直ちに視力を演算判定する。なおここで、「視力を演算する」とは、単に「視力」を求めるだけでなく、検査結果から、例えば統計的な処理を施した後の評価を行うことも含まれる。即ち、複数の評価算出テーブルより一つを選択し、選択された評価算出テーブルに基づく評価を演算することも「視力を演算する」ことに含まれるものである。また、評価算出テーブルにより評価を行う必要のないものは、結果のみの出力となるが、この場合でも、「視力を演算」していることには変わりがないものである。
【００７４】
こうして、視力演算部２５により、被検者３３の測定データから被検者３３の視力Ｋが演算されたところで、検査結果生成部２６は、被検者データベース３２から、図４（ｃ）に示す、被検者３３の個別データＩＤＤを、識別情報ＩＤに基づいて読み出し、同時に検査データメモリ２９に格納された検査開始情報ＩＳＩなどから、それらを合成して、図４（ｄ）に示す検査結果表３５を生成してプリンタなどの出力部３０やデイスプレイ３６に出力する。なお、検査結果表３５は、被検者データベース３２に電子データとして格納しておくことも当然可能である。
【００７５】
更に、中央管理装置２０は、視機能検査設備１の各視力検査装置２で行われている検査内容をリアルタイムでデイスプレイ３６上に表示し、また、同時に各視力検査装置２を中央管理装置２０側から制御して、各視力検査装置２に対する監視や運転指示を集中的に行うように構成することも出来る。
【００７６】
即ち、例えば、図５に示すように、デイスプレイ３６上に、視力検査装置２の操作画面ＯＰと視機能検査設備１の各視力検査装置２で行われている検査状況をリアルタイムで示す検査状況画面ＳＰを表示し、検査状況画面ＳＰでは、各視力検査装置２に対応して設けられた複数の検査モニター画面ＭＰを表示するようにする。各検査モニタ画面ＭＰの表示内容は、各装置から送られてくる被検者の個別検査データＩＩＤや対応する被検者の個別データＩＤＤなどから、自由に構成することが出来る。
【００７７】
また、操作画面ＯＰは、各視力検査装置２に対応する、夜間視力や動体視力などの、複数種類の視力検査の操作画面ＯＰが適宜なメモリ内に格納されており、オペレータがキーボード２８やマウス（図示せず）などの入力手段を介して、制御したい視力検査装置２の装置ＩＤ情報ＭＤや検査種別データＤＡ３などの識別情報を入力することにより、主制御部２１は、当該視力検査装置２で行う視力検査の種類を判定し、当該判定結果に基づいてデイスプレイ３６上に、対応する視力検査の操作画面ＯＰをメモリから読み出して表示することが出来る。
【００７８】
なお、操作画面ＯＰは、図５に示すように、デイスプレイ３６上の画面の一部に表示するほかに、デイスプレイ３６の画面の全部に表示するようにしてもよい。
【００７９】
更に、操作画面ＯＰは、オペレータがキーボード２８などから装置ＩＤ情報ＭＤや検査種別データＤＡ３を入力して表示させるほかに、各視力検査装置２から視力検査に際して送出される装置ＩＤ情報ＭＤや検査種別データＤＡ３に基づいて、主制御部２１が視力検査の種類を判定し、デイスプレイ３６上に、対応する視力検査の操作画面ＯＰをメモリから読み出して、オペレータの入力操作を経ることなく表示するようにしてもよい。
【００８０】
従って、視力検査装置２として複数種類の視力検査装置２が接続されている視機能検査設備１の場合には、図５及び図６に示すように、選択された視力検査装置２の種類に対応した、異なる種類の操作画面ＯＰが読み出される。これにより、オペレータは、当該デイスプレイ３６に表示された操作画面ＯＰを操作する（ここで言う、「操作」とは、デイスプレイ３６上に表示された操作画面ＯＰに基づいて対応する視力検査装置２に対する何らかの信号を生成するための動作をいい、キーボード２８、マウス、タッチパネル、音声、ポインタなど、信号を生成するための操作手段は問わない）ことにより、遠隔操作制御部３７を介して対応する視力検査装置２を、当該視力検査装置２に対応する操作画面ＯＰにより適切に遠隔操作することが出来る。なお、遠隔操作制御部３７には、視機能検査設備１に接続される視力検査装置２の種類に応じた遠隔操作プログラムが格納されており、オペレータが選択した視力検査装置２の機種に応じた遠隔操作プログラムを読み出して実行することにより、操作画面ＯＰによる遠隔操作を行う。
【００８１】
なお、複数種類の視力検査装置２が接続された視機能検査設備１では、表示される検査状況画面ＳＰ内の検査モニタ画面ＭＰも、図６に示すように、各視力検査装置２に対応して異なる形で表示される。各検査モニター画面ＭＰも、視力検査装置２の種類に応じて複数の画面ＭＰ１、ＭＰ２……がテンプレートとして用意されており、中央管理装置２０は、視機能検査設備１に接続されている各視力検査装置２からの装置ＩＤ情報ＭＤに基づいて対応する検査モニター画面ＭＰ（ＭＰ１、ＭＰ２）をメモリから読み出し、デイスプレイ３６上に表示する。
【００８２】
また、各検査モニター画面ＭＰ上に、各視力検査装置２の操作画面ＯＰを配置し、検査モニター画面ＭＰ上で、対応する視力検査装置２を遠隔操作できるように制御することも可能である。
【００８３】
また、各視力検査装置２における動体視力などの測定に際しては、被検者３３に対して、測定内容を理解してもらうために検査内容を視力検査装置２又は中央管理装置２０に設けられたデイスプレイを介してデモンストレーションを行うようにすることも可能である。即ち、中央管理装置２０は、各視力検査装置２からの検査種別データＤＡ３などから、当該中央管理装置２０に接続されたいずれかの視力検査装置２で、例えば動体視力の測定が行われるものと主制御部２１が判定した場合には、中央管理装置２０内の適宜なメモリ手段中に格納された、当該動体視力の検査に対応したデモンストレーション映像データＤＤを読み出し、当該動体視力を行わんとする視力検査装置２に対してデモンストレーション映像データＤＤを配信する。
【００８４】
なお、オペレータが、各視力検査装置２から出力される測定データに基づいて当該視力検査装置２で行う視力検査の種類を判定し、中央管理装置２０のキーボード２８などの入力手段を操作して、メモリ手段に格納されたデモンストレーション映像データＤＤから検査の種類に対応した映像データＤＤを選択して読み出し、各視力検査装置２に対して当該読み出したデモンストレーション映像データＤＤを配信したり、また、中央管理装置２０のデイスプレイ３６に表示するように構成することも出来る。
【００８５】
このデモンストレーション映像データＤＤは、図７に示すように、遠方から視標３９が被検者３３に向けて接近してくる形で、（ａ）→（ｂ）→（ｃ）→（ｄ）のように、連続的に変化する形で表示される画像を表示するデータであり、動体視力を測定する際に、図１に示すように、送りモータ１５によりプリズム７Ａが矢印Ａ、Ｂ方向に移動して、レンズ６Ｂとプリズム７Ａ間の距離Ｌが変化し、被検者３３が見る視標３３が所定の速度で徐々に大きくなる状態を表示している。
【００８６】
各視力検査装置２は、デモンストレーション映像データＤＤに基づいた、動体視力の検査の実行に先立って、当該画像データＤＤを当該視力検査装置２に設けられた図示しないデイスプレイ上に表示し、同様に映像データＤＤに格納された音声データに基づいて、被検者３３に対して当該視標３９を認識できた時点で操作レバー３ｂを操作して、その視標の向いている方向を入力するように音声などで案内する。こうすることにより、動体視力の検査に慣れていない被検者３３は、これから行う検査の内容を理解することが出来、無用な緊張感からも解放され、検査を失敗無く、適正に行うことが出来る。なお、このデモンストレーション映像データＤＤのデイスプレイ上での表示は、中央管理装置２０側のデイスプレイ３６上で行って、複数の被検者３３に対して一度又は個別に、検査内容を説明するように構成することも出来る。
【００８７】
また、デモンストレーション映像データＤＤに示される検査内容を示す映像は、上述した動体視力の測定の他に、夜間視力や、静止視力など各種の映像を格納して、適宜、被検者３３に対して各視力検査装置２や中央管理装置２０でデモンストレーションできるように構成することも可能である。
【００８８】
また、視機能検査設備１の稼働開始に際して、中央管理装置２０側で、各視力検査装置２の稼働状態（各視力検査装置２の電源の投入状態に加えて、各視力検査装置２の中央管理装置２０への通信回線１７を介した接続状態を含む）を確認し、中央管理装置２０と各視力検査装置２間の接続状態を確認する必要がある。
【００８９】
この方法としては、各種の方法が考えられるが、以下にその例を示す。即ち、中央管理装置２０の稼働開始時に、図２に示すように、ネットワーク管理部３８から入出力制御部２２を介して各視力検査装置２に対して装置ＩＤ情報ＭＤなどの装置識別情報の送付を要求する。各視力検査装置２は、自己の装置ＩＤ情報ＭＤを中央管理装置２０に対して出力し、中央管理装置２０側では、ネットワーク管理部３８が、当該装置ＩＤ情報ＭＤが送付されてきた視力検査装置２について、当該装置ＩＤ情報ＭＤをメモリ内の稼働状態テーブル内に保存しておく。
【００９０】
これにより、中央管理装置２０側では、当該中央管理装置２０に接続されている視力検査装置２を、ネットワーク管理部３８内の稼働状態テーブルを参照することにより認識することが出来る。この稼働状態テーブルは、フラッシュメモリなどの書き換え可能なＲＯＭ（リードオンリーメモリ）などの不揮発性メモリやハードディスクなどに保存され、中央管理装置２０の所定時間稼働後に電源が落とされても、保持される。
【００９１】
次回、中央管理装置２０に電源を再投入して視機能検査設備１を立ち上げた場合、中央管理装置２０は、ネットワーク管理部３８の稼働状態テーブルを参照するだけで、中央管理装置２０に接続されている視力検査装置２を認識することが出来、いちいち、各視力検査装置２に対して、装置ＩＤ情報ＭＤの送付を要求する必要はない。
【００９２】
この方法は、中央管理装置２０に接続される視力検査装置２の変動が少ない、視機能検査設備１に対して有効であるが、各視力検査装置２が実際に電源が入って稼働可能な状態にあるか否かについては、各視力検査装置２での検査が開始されて、図４（ａ）、（ｂ）などに示す検査個別データＩＩＤや検査開始情報ＩＳＩなどが入力されるまで待つ必要がある。
【００９３】
また、中央管理装置２０に電源を再投入して視機能検査設備１を立ち上げた際に、上述の場合とは異なり、中央管理装置２０から各視力検査装置２に対して、再度装置ＩＤ情報ＭＤの送付を要求して、各視力検査装置２から中央管理装置２０への装置ＩＤ情報ＭＤの出力状態から、メモリ内の稼働状態テーブルを更新し、中央管理装置２０に接続された各視力検査装置２の稼働状態（中央管理装置２０への通信回線１７を介した接続状態を含む）を確認するようにしてもよい。更に、中央管理装置２０側から、所定時間毎に各視力検査装置２に対して装置ＩＤ情報ＭＤの送付を要求して、各視力検査装置２の稼働状態（接続状態）をリアルタイムで確認するようにしてもよい。
【００９４】
この方法は、各視力検査装置２の接続状態や稼働状態（電源のＯＮ／ＯＦＦ状態）に変動が多い場合や、視力検査装置２の増設、撤去が頻繁に行われるような設備に有効である。
【図面の簡単な説明】
【図１】図１は、本発明が適用される、視機能検査設備の一例を示すブロック図。
【図２】図２は、中央管理装置の一例を示すブロック図。
【図３】図３は、視力の演算方法を示す図。
【図４】図４は、視機能検査設備内で使用されるデータの一例を示す模式図。
【図５】図５は中央管理装置で表示される表示画面の一例を示す模式図。
【図６】図６は中央管理装置で表示される表示画面の別の例を示す模式図。
【図７】動体視力を測定する際の、デモンストレーション映像データの一例を示す模式図。
【図８】図８は、視力の演算方法の別の例を示す図である。
【符号の説明】
１……視機能検査設備
２……視力検査装置
１６……測定データの取得出力手段（コントローラ）
２０……中央管理装置
２１……視力決定手順の選択手段、操作画面表示手段、検査種類判定手段（主制御部）
２５……視力演算部
２７……視力決定手順格納部（視力決定パターン格納部）
２８……視力決定手順の選択手段、操作画面の選択手段（キーボード）
２９……検査データメモリ
３０……出力手段（出力部）
３６……出力手段（デイスプレイ）
３７……遠隔操作制御部
３８……識別情報送付要求手段、稼働状態管理手段（ネットワーク管理部）
ＯＰ……操作画面
ＤＡ１……測定データ（視標認識データ）
ＤＡ２……測定データ（視標位置情報）
ＤＡ３……測定データ（検査種別データ）
ＴＳ１……タイムスタンプ
ＴＳ２……視標認識データ（タイムスタンプ）
ＰＴ１、ＰＴ２、ＰＴ３……視力決定手順（視力決定パターン）
ＭＤ……測定データ、装置識別情報（装置ＩＤ情報）
ＩＤ……測定データ（識別情報）
ＰＲＩ……測定データ（被検者反応情報）
ＩＳＩ……測定データ（開始情報）
【図１】
2004166979.tif 000003
【図２】
2004166979.tif 000004
【図３】
2004166979.tif 000005
【図４】
2004166979.tif 000006
【図５】
2004166979.tif 000007
【図６】
2004166979.tif 000008
【図７】
2004166979.tif 000009
【図８】
2004166979.tif 000010